(57)【要約】 【課題】  回折格子や分光器を用いないで、対象物の表面の色、吸収などを簡易迅速に検出するための軽量、小型、低コストのセンサを与えること。 【解決手段】  筐体と、筐体の内部に設けられ複数の波長の光を発生する光源と、筐体の内部に設けられ光源から発生した複数波長の光を直線偏光にして分岐し第１分岐光ｇを交番電界を掛けたポッケルス効果素子を含む光路Ｇに通し第２分岐光ｈを誘電体あるいは反対向きの交番電界を掛けたポッケルス効果素子を含む光路Ｈに通して分岐光ｇ、ｈの間に周期的な位相差を与え合波して試験光Ｓとする干渉部と、試験光Ｓを外部の試料にあてるための筐体に設けられた窓と、試料からの反射光を受光する受光素子と、受光素子によって得られた時間的光強度変化を、交番電界の変化に同期してフーリエ変換する演算部と、フーリエ変換によって得られた波数分布Ｒ（ν）を記憶表示する記憶表示部を含む。 【選択図】図１
2007303954.tif 000002
【特許請求の範囲】
【請求項１】
筐体と、筐体の内部に設けられ複数の波長の光を発生する光源と、筐体の内部に設けられ光源から発生した複数波長の光を直線偏光にして分岐し第１分岐光ｇを交番電界を掛けたポッケルス効果素子を含む第１光路Ｇに通し第２分岐光ｈを誘電体あるいは反対向きの交番電界を掛けたポッケルス効果素子を含む第２光路Ｈに通して分岐光ｇ、ｈの間に周期的な位相差を与え合波して試験光Ｓとする干渉部と、試験光Ｓを外部の試料にあてるための筐体に設けられた窓と、試料からの反射光を受光する受光素子とを含むことを特徴とする干渉計センサ。
【請求項２】
筐体と、筐体の内部に設けられ複数の波長の光を発生する光源と、筐体の内部に設けられ光源から発生した複数波長の光を直線偏光にして分岐し第１分岐光ｇを交番電界を掛けたポッケルス効果素子を含む第１光路Ｇに通し第２分岐光ｈを誘電体あるいは反対向きの交番電界を掛けたポッケルス効果素子を含む第２光路Ｈに通して分岐光ｇ、ｈの間に周期的な位相差を与え合波して試験光Ｓとする干渉部と、試験光Ｓを外部の試料にあてるための筐体に設けられた窓と、試料からの反射光を受光する受光素子と、受光素子で受光した試料からの反射光の時間的光強度変化を、交番電界の変化に同期してフーリエ変換する演算部と、フーリエ変換によって得られた波数分布Ｒ（ν）を記憶表示する記憶表示部を含むことを特徴とする光学測定装置。 
【請求項３】
筐体の内部に設けられた光源から複数波長の光を発生させ、干渉部において光源から発生した複数波長の光を直線偏光にして分岐し第１分岐光ｇを交番電界を掛けたポッケルス効果素子を含む第１光路Ｇに通し第２分岐光ｈを誘電体あるいは反対向きの交番電界を掛けたポッケルス効果素子を含む第２光路Ｈに通して分岐光ｇ、ｈの間に周期的な位相差を与え合波して試験光Ｓとし、筐体の窓を通し試験光Ｓを外部の試料にあて、試料からの反射光を受光素子で受光し、受光素子で受光した試料からの反射光の時間的光強度変化を、交番電界の変化に同期してフーリエ変換し、フーリエ変換によって得られた波数分布Ｒ（ν）を記憶表示し、光源から出た試験光Ｓを受光素子へ導き受光素子出力を干渉部の電界に同期してフーリエ変換することによって光源の波数分布Ｓ（ν）を求めておき、試料からの反射光から得た波数分布Ｒ（ν）から光源の波数分布Ｓ（ν）を差し引いた波数分布Ｑ（ν）を求めることを特徴とする光学測定方法。
【発明の詳細な説明】
【技術分野】
【０００１】
本発明は、対象物にスペクトルの広い光を当てて反射光を分光して対象物の色分布を検出するセンサに関する。波長範囲の広い試験光を当てて対象物からの反射光の分布を調べると対象物についての色々な情報が得られる。初めの試験光の波長分布と反射光の波長分布を比較すると、吸収があるとか強い反射があるとかが分かる。試験光の波数分布をＳ（ν）とし、反射光の波数分布をＲ（ν）とする。その光量差Ｑ（ν）＝Ｒ（ν）−Ｓ（ν）によって対象物の様々の物性を求めることができる。光量差は発光、吸収、散乱、反射などによって発生する。吸収には、通常の散乱角度の違いに基づく吸収、電子励起による吸収、分子振動による吸収、それらの倍音吸収、薄膜の干渉による吸収などがある。反射には、通常の表面反射、ラマン散乱による反射、薄膜の干渉による反射がある。そのほかに電子線,Ｘ線、中性子線などを当てるとか加熱した場合は、電子励起後の緩和による発光、プランク輻射則による熱放射などの自発的な発光もある。吸収、散乱、発光などによって対象物の表面形状、表面、内部の組成、結合状態などが分かる。
【０００２】
スペクトル分布を表すために波長λを使っても良いし、波数νを使っても良い。波長というのは一つの波の長さである。波数νというのは単位長さに存在する波の数である。両者の間には、λ＝１／νの関係がある。振動数ｆとはλ＝ｃ／ｆ＝１／νの関係がある。ｃは真空中での光の速度である。ここではスペクトルを表現するのに波数νを使うが、振動数ｆあるいは波長λを用いることもできる。ｄν＝−ｄλ／λ２であるから、Ｒ（ν）ｄν＝−Ｒ（λ）ｄλ／λ２である。
【０００３】
ｄν＝５０ｃｍ−１という波数間隔は、波長λが例えば５００ｎｍとすると、ｄλ＝１．２５ｎｍの波長範囲に当たる。
【０００４】
同じｄν＝５０ｃｍ−１という波数間隔は、波長λが例えば１０００ｎｍとすると、ｄλ＝５ｎｍの波長範囲に当たる。以後、波長分布という言葉と波数分布という言葉を同じように用いるが上のような関係によって結び付けられている。
【０００５】
広い波長範囲での性質を調べる必要がある場合は、スペクトルの広い試験光Ｓ（ν）を用いる。全ての波長成分を等しく持つ光を白色という。試験光Ｓ（ν）はレーザ光のように単一波長の光ではなく多様な波長・波数成分を含む白色光に近いものである。白熱電球のような熱によって生ずる光は様々の波長の光を連続的に含む。実際に理想的な白色は得られないがＳ（ν）は幅広い波長範囲の光を含むものとする。対象物の求めようとする性質によって光源の波長は違うが、Ｘ線ランプ、ハロゲンランプ、白熱球などのランプを光源に用いる。
【０００６】
波数分布あるいは波長分布を求めるには分光器を用いるのが一つの方法である。周期ｕで平行溝を多数切った回折格子に白色光を当てるとブラッグ角の方向（ｄｓｉｎΘ＝ｍλ：ｍは整数）に回折が起こる。波長によって回折角Φが違うので波長成分を空間的に分離することができる。 
【０００７】
回折の方向に多数の小型のフォトダイオードを一次元的に並べたフォトダイオードアレイを設置しておき回折角Φの方向のフォトン数Ｐをカウントする。それによって反射光の波長分布Ｒ（λ）あるいは波数分布Ｒ（ν）を求めることができる。これは波長ごとに光成分を空間的に分離するから測定時間が短くて済みしかも正確である。分光法にはそのような優れた利点がある。
【０００８】
しかし分光器を用いる方法は精密な回折格子や多数のフォトダイオードの集合であるフォトダイオードアレイが必要でコスト高になる。空間的に成分を分離するのでかなり広い空間的な広がりを必要とし小型化が難しい。そのような欠点がある。
【背景技術】
【０００９】
分光器を用いないで光の波長分布（スペクトル）を求める手法として干渉法によるものがある。これは波長・波数ごとに光を空間的に分離しないで時間的に分離するものである。波数成分を時間的に分離してそれをフーリエ変換して波数・波長ごとの光量を求めるようにする。高速フーリエ変換が実現できるようになったので可能になった方法である。光を波数・波長によって空間的に分離しないので回折格子が不要であり、フォトダイオードアレイも不要である。これによって低コストで小型の波長分布検出のためのセンサを与える可能性がある。  
【００１０】
まず単一波長λでコヒーレントで強度１の光があるとする。コヒーレントというのは位相が揃っており分波合波した後も干渉可能という意味である。これについては後で述べる。波長λ、強度１のコヒーレント光を分波器で二つの光ｇ、ｈに分離する。分離した光ｇ、ｈはそれぞれ別の光路Ｇ、Ｈを進み、合波器で一つに統合される。それが光検出器で検出される。分波器から合波器までのＧの光路長をＬｇとして、Ｈの光路長をＬｈとする。光路長Ｌというのは部分光路の長さｌに屈折率ｎを掛けたものである（Ｌ＝ｎｌ）。光路長差が波長の整数倍（Ｌｇ−Ｌｈ＝ｍλ：ｍは整数）であれば、位相が合致するから合波された光の強度は１である。
【００１１】
光路長差が波長の整数倍でない時は合波された光の強度は減る。
【００１２】
２π（Ｌｇ−Ｌｈ）＝（２πｍ＋θ）λ      （１）
のような場合は、ＨとＧの分配が１：１であった場合、合波したものの強度はｃｏｓθに減る。位相が１８０゜違うとき両者は完全に打ち消しあう。干渉光は０となる。光路長差を変えて行くと合波光の強度は１と０の間でｃｏｓθの周期変化をする。光路長差をλで割った（Ｌｈ−Ｌｇ）／λが一つ増えるごとに一つの山谷ができる。あるいはν（Ｌｈ−Ｌｇ）が一つ増える毎に一つの山谷ができるということもできる。山と谷との光量差が波長λの光の強度Ｒ（λ）に等しい。だから光路長差をλだけ変える間での光量差を検出器で検出すると波長λの光の強度が求められる。
【００１３】
光路Ｈは一定にし、光路Ｇだけを変化させることによって光路長差（Ｌｈ−Ｌｇ）を変化させることができる。ＧとＨの光路長差（Ｌｈ−Ｌｇ）をｘとすると、合波光強度はＲ（λ）ｃｏｓ（２πｘ／λ）となる。実際には波長λのように短い間隔だけ光路差を動かすことは難しい。波長λよりもずっと長く光路Ｇを変化させて、変化の最中での合波光強度を検出器で調べる。ある範囲のｘでのＲ（λ）ｃｏｓ（２πｘ／λ）が求められる。これを波数νで書くと、Ｒ（ν）ｃｏｓ（２πｘν）である。これをｘでフーリエ変換する。フーリエ変換というのはｃｏｓ（２πｘν’）を掛けてｘで積分することである。（２／Ｋ）∫Ｒ（ν）ｃｏｓ（２πｘν）ｃｏｓ（２πｘν’）ｄｘを計算する。Ｋはｘの変域である。ｘの変域Ｋはλよりずっと広い。ν’≠νのとき上の積分は０になる。ν’＝νのとき上の積分はＲ（ν）を与える。それによって波数ν、波長λでの合波光強度が求められる。λ＜＜Ｋとなるような広い変域をとるようにｘを変化させてフーリエ変換してＲ（ν）を求めるというのは一度の計測でなくて同じ計測を何度も繰り返して行ったものの平均値を求めることに等しい。だから１回の測定よりも信頼性が向上するという利点もある。
【００１４】
上の例ではコヒーレントな単一波長λだけを含む光を問題にした。単一波長だけなら分光作用は不要である。もともと多様な波長の光を含むから分光しなければならない。今度は多数の波長λ、多数の波数νを含む光を考える。つまりＲ（ν）はあるνの範囲で連続的に分布するのである。その場合も光路Ｇだけを変化させて光路長差を作り出す。光路Ｇを変化させている間連続して検出器で光の強度を求める。これはｘの関数でありｒ（ｘ）と書くことができる。波数がνの光成分にとって、ｘは位相差２πｘνを発生させる。だから波数νの光Ｔ（ν）のｒ（ｘ）への寄与はＴ（ν）ｃｏｓ（２πｘν）である。全ての波数νについて足しあわせることによってｒ（ｘ）が得られる。
【００１５】
ｒ（ｘ）＝∫Ｔ（ν）ｃｏｓ（２πｘν）ｄν  （２） 
である。ｘを０〜Ｋの範囲で変化させすべてのｘに対するｒ（ｘ）を得る。１回の掃引（ｘ＝０〜Ｋ）によって多数のデータを得る。（２／Ｋ）ｃｏｓ（２πｘν’）を掛けてｘで積分する（ｘ＝０〜Ｋ）。それはｘでフーリエ変換するということである。 
【００１６】
（２／Ｋ）∫ｒ（ｘ）ｃｏｓ（２πｘν’）ｄｘ＝（２／Ｋ）∫Ｔ（ν）ｃｏｓ（２πｘν）ｃｏｓ（２πｘν’）ｄνｄｘ
（３） 
【００１７】
この積分はν’≠νのとき０である。ν’＝νのときはＴ（ν’）となる。だからｘのフーリエ変換によって、多数の波数νを含む光であってもその波数分布Ｔ（ν）を求めることができる。
【００１８】
光路差を発生させるＧの光路Ｌｇを動かす操作は一度だけでなく何度も繰り返すようにするとその度にＴ（ｘ）が求められ、その都度フーリエ変換をしてＴ（ν）を何度も求めることができ精度が向上する。それにＴ（ν）に時間変化がある場合それが一度の掃引時間より遅ければ時間変化するＴ（ν）を求めることもできる。
【００１９】
これが干渉計による光の波数分布（波長分布）を求める方法である。そのためにかなり高精度の干渉計が必要である。干渉計として第１に思いつくのはマイケルソン干渉計である。十文字の交差光路の二つの端に直角のミラーを、交差点に４５゜傾斜ハーフミラーを設置し、残りの光路に沿って光をハーフミラーへ当て透過光、反射光の二光束Ｇ、Ｈに分離しそれぞれを終端のミラーで反射させ同じハーフミラーで合成して入射路と９０゜をなす光路へ合波光を取り出しそれを光検出器で検出するものである。一方のミラーを前後に動かすとλ／２ごとに干渉光が増減を繰り返す。 
【００２０】
一方のミラーをｘ／２動かした時の光量をｒ（ｘ）として先程のフーリエ変換によってＴ（ν）を計算することができる。マイケルソン干渉計は分波合波のハーフミラーが同一であり、光路Ｇ、Ｈが対称になるという利点がある。マイケルソン干渉計を用いて光路を変化させるようにする干渉計は第１原理に基づくものであり光の波長分布つまり色分布を求めることができる。
【００２１】
しかしマイケルソン干渉計はミラーを前後に動かす機構が必要である。ミラーを正確に平行移動させるための機構、ミラーを動かす機械的駆動部のために大型で重いものになる。精密な機構部を持つので高コストになる。また振動に弱いので携帯型のセンサとして適していない。
【００２２】
特許文献１は、回折格子を用いないで赤外光を分光する分光器を与えることを目的とする。二つの半円柱の間に電歪素子を挟んだボビンに光ファイバを巻き付けたものを用いる。（赤外の）被測定光をハーフミラーによって二光束に分け、一方の光束を電歪素子によって直径が伸縮するボビンに巻き付けたファイバコイルに入れコイル内を伝搬させ、一方の光束はそのまま空間伝送し、再び合体して合体した干渉光の強度を光検出器で検出するようにしたものである。電歪素子は電圧によって歪を生ずる素子であり、電圧を掛けることによって電歪素子が伸縮する。するとボビンの直径が変化するので光ファイバの長さが変わる。光ファイバの長さが変わると伝搬距離が変わりそれを透過した一方の光束の位相が変わる。他方の光束の位相は不変であるから、それが合体した光の強度は位相のずれの分だけ変化する。電歪素子に加える電圧が振動するなら、合体した干渉光の強度も同じ振動をする。検出器の出力を距離に関しフーリエ変換すると波長ごとの光強度を求めることができる。 
【００２３】
特許文献２はレーザを光源とし、レ−ザ光を対象物に当て、被測定光を二つの光に分け、片方の光が伝搬する光ファイバのクラッドを剥ぎ、外部との相互作用で得られるエバネッセント波と参照光が干渉することによってインターフェログラムを作り出している。
【００２４】
【特許文献１】特開平０８−００５４５８
【特許文献２】特開平０４−２２１７４３
【発明の開示】
【発明が解決しようとする課題】
【００２５】
特許文献１は直径を変動させることができる光ファイバコイルを用いている。光ファイバの長さを変化させ、光ファイバ長さ変化ｘの関数として、干渉光の強度を検出し、干渉光をｘに関してフーリエ変換して成分の強度を求めるというものである。マイケルソン干渉計のようにミラーを前後に機械的に動かすのではない。機械的振動部分がないからより小型化できるという。
【００２６】
しかし特許文献１は電歪素子を使って光ファイバを巻き付けた半円柱の距離を変動させるので実際に機械的振動が発生している。光ファイバは強く曲げると破断する。安全な最小曲げ半径が（Ｒ＝３０ｍｍ〜５０ｍｍ）決められているがこれがかなり大きいので、ファイバコイルの直径はかなり大きいものとなる。光ファイバコイルの存在のためにかなりの容積を必要とする。光ファイバを繰り返し伸縮させるので光ファイバが疲労して断線する恐れがある。それに二つに分岐した光束の光路長がかなり違うので、コヒーレンシーの良い光源でないと干渉しない。通常の白色光は非干渉光（インコヒーレント）であるから、白色光の分光には用いることができない。光の干渉性は干渉可能な長さ（コヒーレント長）で表現する。レーザ光の場合はかなり長いので光ファイバコイル長差を越えて干渉するが、ランプの白色光ではそのような光路長差があると干渉しない。白色光源などの場合は使いものにはならない。特許文献１は光源が幾つかの波長の決まったレーザ光源である場合にしか適用できない。
【００２７】
特許文献２はエバネッセント波を作るため対象物に光ファイバを強く接触させなければならない。エバネッセント波は数μｍの範囲しか広がらないので試料との密着性が必要である。光源は単色のレーザであるから試料の一部の性質しか分からない、という難点がある。またクラッドのない光ファイバを対象物に当てるから光ファイバが破壊され易い、という欠点もある。
【課題を解決するための手段】
【００２８】
本発明の干渉計センサは、筐体と、筐体の内部に設けられ複数の波長の光を発生する光源と、筐体の内部に設けられ光源から発生した複数波長の光を直線偏光にして分岐し第１分岐光ｇを交番電界を掛けたポッケルス効果素子を含む第１光路Ｇに通し第２分岐光ｈを誘電体あるいは反対向きの交番電界を掛けたポッケルス効果素子を含む第２光路Ｈに通して分岐光ｇ、ｈの間に周期的な位相差を与え合波して試験光Ｓとする干渉部と、試験光Ｓを外部の試料にあてるための筐体に設けられた窓と、試料からの反射光を受光する受光素子とを含む。
光源光を第１分岐で二分して同等な光路長をもつ第１、第２光路に通し周期変動する位相差を与えて分岐路を通った光を第２分岐で合一し干渉させて位相差によって干渉光の強度を変化させ変化した干渉光を受光素子で受光する。受光素子の出力を位相差の変化に同期してフーリエ変換する。それは後に述べるように波長分布あるいは波数分布に対応する。この干渉部は一種のマッハツエンダ型干渉計ということができる。
【００２９】
一方の第１光路Ｇをポッケルス効果素でつくり交番電界をかけて屈折率を周期変動させ他方の第２光路Ｈを透明誘電体で作りこれは屈折率変化しないようにする。電界が０のときに両光路Ｇ，Ｈの光路長（距離×屈折率）が大体等しくなるようにする。光路Ｇを通る第１分岐光ｇの実質的な光路長が変化し、光路Ｈを通る第２分岐光ｈの光路長は一定である。だから干渉した光には位相差が現れる。位相差は第１光路Ｇの屈折率変動による。あるいは、第１光路Ｇ、第２光路Ｈともにポッケルス効果素子で作り反対向きの交番電界を与えるようにしても良い。そうすると位相差が２倍になる。
光路長ｌを変えるのではなく、ポッケルス効果素子によって屈折率ｎを変動させるようにしたところが新規である。機械的な振動がないので部分品に疲労がおこらない。外部の振動の影響を受けない、小型化できるというような利点がある。
上のセンサ部分とコンピュータを接続して、フーリエ変換の計算と、波数・波長分布を計算とはコンピュータによって行い、表示もディスプレイに表示するようにすることができる。その場合は、筐体のなかに光源を駆動する電源を内蔵してもよいし、光源駆動も外部電源から取るようにもできる。
或いは、フーリエ変換する演算部、波数表示装置も筐体に内蔵することもできる。その場合の本発明の装置は次のようになる。
【００３０】
本発明の光学測定装置は、筐体と、筐体の内部に設けられ複数の波長の光を発生する光源と、筐体の内部に設けられ光源から発生した複数波長の光を直線偏光にして分岐し第１分岐光ｇを交番電界を掛けたポッケルス効果素子を含む光路Ｇに通し第２分岐光ｈを誘電体あるいは反対向きの交番電界を掛けたポッケルス効果素子を含む光路Ｈに通して分岐光ｇ、ｈの間に周期的な位相差を与え合波して試験光Ｓとする干渉部と、試験光Ｓを外部の試料にあてるための筐体に設けられた窓と、試料からの反射光を受光する受光素子と、受光素子によって得られた時間的光強度変化を、交番電界の変化に同期してフーリエ変換する演算部と、フーリエ変換によって得られた波数分布Ｒ（ν）を記憶表示する記憶表示部を含む。
あるいは筐体に電源を含めても良い。そうするとコンピュータと接続することなく独立した装置とすることができる。
初めに試料の変わりに総ての光を反射するミラーを窓において試験光を総て反射させそれの受光素子の強度変化をフーリエ変換して光源の波数分布Ｓ（ν）を得ておき、）Ｒ（ν）−Ｓ（ν）によって試料独自の波数分布Ｑ（ν）を求めることができる。これは試料による吸収、散乱、発光などを波数の関数として含む。
【００３１】
本発明の光学測定方法は、筐体の内部に設けられた光源から複数波長の光を発生させ、干渉部において光源から発生した複数波長の光を直線偏光にして分岐し第１分岐光ｇを交番電界を掛けたポッケルス効果素子を含む第１光路Ｇに通し第２分岐光ｈを誘電体あるいは反対向きの交番電界を掛けたポッケルス効果素子を含む第２光路Ｈに通して分岐光ｇ、ｈの間に周期的な位相差を与え合波して試験光Ｓとし、筐体の窓を通し試験光Ｓを外部の試料にあて、試料からの反射光を受光素子で受光し、受光素子で受光した試料からの反射光の時間的光強度変化を、交番電界の変化に同期してフーリエ変換し、フーリエ変換によって得られた波数分布Ｒ（ν）を記憶表示し、光源から出た試験光Ｓを受光素子へ導き受光素子出力を干渉部の電界に同期してフーリエ変換することによって光源の波数分布Ｓ（ν）を求めておき、試料からの反射光から得た波数分布Ｒ（ν）を、Ｓ（ν）で差し引くことによって試料からの光の波数分布Ｑ（ν）を求める。これは試料の発光、散乱、吸収などを波数の関数として含む。
【００３２】
本発明の干渉センサ、光学想定装置の共通の工夫は、複数の波長の光を含む光を発生する光源から出た光を分岐し、一方はポッケルス効果素子によって構成した屈折率変動路を通し他方は屈折率固定路或いはポッケルス効果素子によって反対方向に屈折率が変動する屈折率変動路を通した後、合体させて、合体した光を試料に当て、試料からの反射光を受光素子で受光し、受光量を屈折率によってフーリエ変換することによって、試料からの反射光の波長分布（波数分布）を求めるようにしたものである。
【００３３】
本発明の特徴は幾つかあるが、一つは分岐光路の長さを伸縮変化させるのではなくて、分岐光路の屈折率を変化させることによって分光するというものである。
【００３４】
屈折率を変化させるので二つの光路Ｇ、Ｈの長さをほぼ同一にできるし、光路長を短くできる。コヒーレンス長が短い白色光であっても干渉させることができる。それは白色を干渉法によって分光できるので優れている。
【００３５】
もう一つの特徴は、屈折率変化によって分光した後試料に当てるものであり試料からの反射光を受光素子で受光してフーリエ変換する。特許文献１、２のように、試料からの反射光を干渉させるのではなく、干渉させたものを試料に当てて反射させる。
そのようにすると試料に当てる光自体が変調されているので照射光自体の色が変わっているということである。
【００３６】
ポッケルス効果を持つ素子を用いた光変調器はすでによく知られている。しかし本発明はポッケルス効果素子を変調に用いるのではない。変調と屈折率変化による干渉は違う。この点を混同してはならない。
【００３７】
［光変調器］ 
誤解混同を避けるため初めにポッケルス効果を用いた変調器について簡単に述べる。変調器というのは複屈折を利用したものでありＬｉＮｂＯ３の単結晶を用いることがある。ポッケルス効果は反転対称性のない単結晶に現れる性質である。複屈折は三方晶系、六方晶系、斜方晶系など軸の関係が総て等しくない結晶に現れる性質である。だから複屈折と、ポッケルス効果のある結晶は異なるが、ＬｉＮｂＯ３は両方の性質を持つ。そこに混同の起こる可能性がある。複屈折のある単結晶を想定する。
【００３８】
その結晶の複屈折の起こる方向がｙとｚである。つまりｚ方向に電界成分（ｚ偏光）を持つ光が異常光で屈折率ｎｅを持つ。ｙ方向に電界成分（ｙ偏光）を持つ光が正常光で屈折率ｎｏを持つ。ｙｚに直交する方向がｘ方向である。ｘ方向に長い直方体の結晶を作る。光の進行方向をｘ方向として、結晶の長手方向を進行方向に平行におく、±ｚｘ面に電極を形成し、ｚ方向に電圧Ｖｚを印加するものとする。電界Ｅｚはｚ方向に発生し、ｙ方向には存在しない。
【００３９】
ｙ方向偏光の屈折率はｎｏで不変である。ｚ方向偏光の屈折率は異常光であるからｎｅなのであるが、ｚ方向に電界を掛けるので、ｎｏ、ｎｅともに電界Ｅｚに比例して変化する。一次の変化をポッケルス効果という。二次の効果をカー効果という。二次の効果は弱い。
【００４０】
ここでは一次のポッケルス効果だけを問題にする。屈折率は次のように書ける。 
常光線（ｙ偏光）      ｎｏ（１−ｎｏ３ｒ１３Ｅｚ）    （４） 
異常光線（ｚ偏光）    ｎｅ（１−ｎｅ３ｒ３３Ｅｚ）    （５）
【００４１】
ｒ１３，ｒ３３は結晶によって決まる非線形係数である。第１偏光子によって入射光を直線偏光にする。偏光の方向はｙ、ｚに対し４５度の角度をなす方向とする。
ｙ偏光は常光線で、ｚ偏光は異常光線である。初めにλ／４板を入れて自然複屈折の（ｎｏ−ｎｅ）の部分を消去することもある。電界Ｅｚを掛けると、常光線、異常光線の位相差をπにできる。そのときに必要な電圧を半波長電圧Ｖπという。電気光学素子を評価する重要なパラメータとなる。位相差をπにすると、偏光方向（偏波）がｙ，ｚ何れかに対し−４５度の角度になる。つまり直線偏光の偏波面が９０度回転したということである。出口側に初めの偏光板と同じ偏光方向を持つ第２偏光板を設置しておくと、９０度偏波面が回転した光はもはや第２偏光子を通過できない。そのように偏波面をΥ＝０〜９０度の範囲で回転させると、第２偏光子を通る光の強度はｃｏｓΥになる。それによって第２偏光子を通る光は強度変調されることになる。これはｙ偏光、ｚ偏光の複屈折を電界によって差異を与えたものである。最大の電界は１８０度の位相差を発生させるに足るものであればよい。つまり電圧としては先程の１８０度位相を変えるＶπだけ掛ければよい。つまりＶπ／２の振幅の交番電圧を印加すればよい。
【００４２】
［ポッケルス効果干渉計素子］ 
そのような光変調器はありふれたものである。本発明の干渉計に用いる非線形素子はそのようなものとは異なる。異なるが一見してよく似た構造となっているので誤解あるいは混同を起こす可能性がある。本発明の干渉計の場合は前分岐と二つの光路Ｇ、Ｈと後分岐があり、試験光は前分岐で２本の光に分離されて、光路Ｇ、Ｈを通り、後分岐で合一して一つの光になる。Ｈは一定屈折率ｎ０であり、Ｇは変動屈折率ｎである。光路の長さは何れもｌであり、それは変化しない。光路長は屈折率と長さの積である。光路Ｈはｎ０ｌの一定光路長を持つ。光路Ｇはｎｌの変動光路長を持つ。ｎは変数で印加電圧Ｖｚによって変動する。光路の方向をｘ方向とする。直線偏光で偏光方向はｚ方向である。変調器のようにｚ偏波、ｙ偏波はなく、ｚ偏波だけが存在する。だから複屈折を利用しない。光路長差は（ｎ−ｎ０）ｌである。電圧Ｖｚが０であるとき、光路長差が０になる（ｎ＝ｎ０）ようにする。光路長差を波長λで割って２πを掛けたものが位相差である。固定屈折率光ｈと、変動屈折率光ｇの位相差ΘはΘ＝（２πｌ／λ）（ｎ−ｎ０）である。入口側の分岐では同じ位相であり分岐路Ｇ、Ｈを通ることによって位相差ができる。Θの位相差があると合波の強度はｃｏｓΘに減少する。そこで電圧Ｖｚを増減して、光路Ｇの屈折率ｎを大きく変動させる。そして位相差Θを０〜πというような狭い範囲でなく、±１００πとか±１０００πで変動させる。この点で変調器と全く違う。光路長差の変動を１００倍とか１０００倍に大きくしなければならない。そのようにしないとフーリエ変換できないからである。
【００４３】
しかし屈折率ｎの変動はそれほど大きくないから光路の長さｌを大きくする必要がある。変調器のように複屈折を使わないので異常光、常光の何れか一つを使う。
【００４４】
異常光の偏波をｚ方向にとり電界をｚ方向に印加するとすれば先述のように屈折率は以下のように変わる。
【００４５】
常光線（ｙ偏光）      ｎｏ（１−ｎｏ３ｒ１３Ｅｚ）      
（４） 
異常光線（ｚ偏光）    ｎｅ（１−ｎｅ３ｒ３３Ｅｚ）      
（５）
【００４６】
異常光の偏波をｚ方向にとり電界Ｅｙをｙ方向に印加すると 
常光線（ｙ偏光）      ｎｏ（１−ｎｏ３ｒ２２Ｅｙ）    
（６） 
異常光線（ｚ偏光）    ｎｅ 
（７） 
【００４７】
（７）は電圧によって不変なので使えない。（４）、（５）、（６）は使える可能性がある。非線形係数のｒ１３，ｒ３３，ｒ２２は非対称性を持つ結晶によって異なる。これらの値の大きい結晶を使う必要がある。しかしこれら非線形係数は光の波長によって異なる。つまり分散がある。また同じ材料の単結晶でも製造方法の巧拙によって非線形係数の値が異なる。だから正確なことは試料ごとに測定して初めて分かることである。先述のＬｉＮｂＯ３はこれら非線形係数が大きい材料である。λ＝６３３ｎｍに対して、一例として 
【００４８】
ｎｏ＝２．２９、ｎｅ＝２．２０、ｒ１３＝１０×１０−１２ｍ／Ｖ、ｒ３３＝３２×１０−１２ｍ／Ｖ、ｒ２２＝７×１０−１２ｍ／Ｖ
の程度の値を持つ。屈折率のうち電界Ｅｚ、Ｅｙに依存する部分Δｎを計算してみる。 
【００４９】
ｎｏ４ｒ１３＝２７５×１０−１２ｍ／Ｖ 
ｎｅ４ｒ３３＝７４９×１０−１２ｍ／Ｖ 
ｎｏ４ｒ２２＝１９２×１０−１２ｍ／Ｖ 
【００５０】
この評価からｚ方向に偏波を持つ異常光にｚ方向に電界を掛けるときに最も大きい屈折率変化が起こることが分かる。フーリエ変換可能であるためには、ｌ△ｎ／λが１００〜１０００である必要がある。光変調器のようにｌΔｎ／λが０．５と言ったものではない。その１００倍〜１０００倍の変化範囲が必要である。だからこの点での干渉器と変調器とは全く違う。
【００５１】
但し光源は単色でなく多様な波長を含むのでλは代表的な値を意味する。紫外ならλは２００ｎｍ、可視なら６００ｎｍ程度、近赤外なら１５００ｎｍといった程度である。 
【００５２】
例えば、フーリエ変換の範囲を±１００にするとすれば、ｌΔｎ／λ＝１００としなければならない。素子長・波長比がｌ／λ＝１００００であっても、Δｎが１／１００の程度必要である。先程の値で最も大きいｎｅ４ｒ３３＝７４９×１０−１２ｍ／Ｖを採用して、Ｅｚ＝１．３×１０７Ｖ／ｍ＝１３ｋＶ／ｍｍという程度のｚ方向の電界振幅が必要である。最も小さいｎｏ４ｒ２２＝１９２×１０−１２ｍ／Ｖを採用した場合は，Ｅｙ＝５２ｋＶ／ｍｍというようなｙ方向の電界振幅が必要である。
【００５３】
同じようにフーリエ変換の範囲を±１００とするため、ｌΔｎ／λ＝１００とする。素子長を１０倍して、素子長・波長比をｌ／λ＝１０００００とすると電界振幅をより小さくできる。Δｎが１／１０００の程度に減る。最も大きいｎｅ４ｒ３３＝７４９×１０−１２ｍ／Ｖを採用して、Ｅｚ＝１．３×１０６Ｖ／ｍ＝１．３ｋＶ／ｍｍという程度のｚ方向の電界振幅が必要である。最も小さいｎｏ４ｒ２２＝１９２×１０−１２ｍ／Ｖを採用した場合は，Ｅｙ＝５．２ｋＶ／ｍｍというようなｙ方向の電界振幅が必要である。
【００５４】
フーリエ変換の範囲を１０倍の±１０００にして、例えばｌΔｎ／λ＝１０００とする。素子長・波長比がｌ／λ＝１００００とする。Δｎが１／１０の程度必要である。先程の値で最も大きいｎｅ４ｒ３３＝７４９×１０−１２ｍ／Ｖを採用して、Ｅｚ＝１．３×１０８Ｖ／ｍ＝１３０ｋＶ／ｍｍという程度のｚ方向電界振幅が必要である。最も小さいｎｏ４ｒ２２＝１９２×１０−１２ｍ／Ｖを採用した場合は，Ｅｙ＝５２０ｋＶ／ｍｍというようなｙ方向の電界振幅が必要である。
【００５５】
フーリエ変換の範囲を同じく１０倍の±１０００にして、ｌΔｎ／λ＝１０００とする。素子長・波長比がｌ／λ＝１０００００とする。Δｎが１／１００の程度必要である。先程の値で最も大きいｎｅ４ｒ３３＝７４９×１０−１２ｍ／Ｖを採用して、Ｅｚ＝１．３×１０７Ｖ／ｍ＝１３ｋＶ／ｍｍという程度のｚ方向電界振幅が必要である。最も小さいｎｏ４ｒ２２＝１９２×１０−１２ｍ／Ｖを採用した場合は，Ｅｙ＝５２ｋＶ／ｍｍというようなｙ方向の電界振幅が必要である。
【００５６】
波長・波数の分解能をどれだけにするかによって、フーリエ変換の必要な範囲（代表波長の１００倍とか１０００倍とか）が決まる。
【００５７】
干渉器の二つの光路Ｇ、ＨのうちＨを通常の誘電体の固定屈折率光路に、Ｇをポッケルス効果素子による変動屈折率光路にして、位相差をＨだけで発生させることもできる。これまでの説明はそうなっていた。
【００５８】
しかし必要な電界が大きい場合は、Ｇ、Ｈともポッケルス効果素子で構成し、必要電界を二つに分け正負逆転した電界を掛けることも有効である。光路Ｇには＋Ｅｚｓｉｎωｔ（或いは＋Ｅｙｓｉｎωｔ）を印加し、光路Ｈには−Ｅｚｓｉｎωｔ（或いは−Ｅｙｓｉｎωｔ）を印加する。そうなると合計の電界はその２倍になる。位相差も２倍にすることができる。
【００５９】
そのように位相変化させ、更に合波して位相差のある二つの光の混合を作る。それが試験光Ｓである。試験光Ｓは時間的に色が変わる光であるが単色光ではない。常に多数の色の混合で混合比が変わるような光である。それを試料に当てる。試料からの反射光Ｒを受光素子で受光する。時間的に変動するデータが得られる。これをインターフェログラムという。インターフェログラムにも様々の段階のものがある。それぞれ異なるのであって混同してはならない。
【００６０】
受光素子で受光したものは色彩も分離されておらず、単一の光強度データである。それを干渉部４に掛けた交番電圧の半周期ごとの光強度データを屈折率ｎに関してフーリエ変換する。
【００６１】
まず初めに窓に試料の代わりに総ての光を１００％反射するミラーをおいて受光素子でデータを取る。それは光源インターフェログラムである。それを半周期毎にフーリエ変換する。それを平均したものが試験光のスペクトルＳ（ν）である。
【００６２】
このように光源の色分布を予め波数νの関数として得ておく。その後本発明の装置の窓に試料を押しつけて、試験光Ｓ（ｎ）を試料に当てる。試料からの反射光Ｒ（ｎ）が生ずる。Ｒ（ｎ）−Ｓ（ｎ）が試料による発光、散乱、吸収の波数分布Ｑ（ｎ）を与える。Ｑ（ｎ）＝Ｒ（ｎ）−Ｓ（ｎ）。受光素子が反射光Ｒ（ｎ）のデータを生ずる。これは反射光インターフェログラムである。電圧印加の半周期ごとに反射光Ｒ（ｎ）を屈折率ｎでフーリエ変換する。そうすると、反射光の波数（波長）分布Ｒ（ν）を得ることができる。もともとの試験光の波数分布（光源のスペクトル）はＳ（ν）で既知である。Ｒ（ν）−Ｓ（ν）を求めることによって試料での発光、散乱、吸収などを含むスペクトルＱ（ν）＝Ｒ（ν）−Ｓ（ν）が求められる。
【発明の効果】
【００６３】
試料の反射光の色分布を調べるために回折格子による分光器を用いない。だから低コスト、小型化が可能になる。
【００６４】
本発明は光源からの白色光を二つの分岐光ｇ、ｈに分岐させ屈折率変動光路によって位相差を与えて合波し干渉させ位相差を含む光を作る。分岐路Ｇ、Ｈの光路の長さｌを変化させるのではなくて、長さｌは一定として屈折率ｎを変化させる。長いファイバコイルを用いる必要がない。ファイバコイルを使うと装置が大型化するが本発明の場合は小さいポッケルス効果素子を用いるだけなので小型化できる。分岐光ｇ、ｈの間に光路長差があまりないのでコヒーレンス長の短い光でも干渉させることができる。特許文献１、２の場合はもともとの光路長の差が大きくてコヒーレント長の十分長いレーザ光などしか干渉させることができなかった。だから白色光源は扱えない。
【００６５】
しかし本発明の場合は短いコヒーレント長の光でも干渉させることができる。白色光源であっても干渉させて分光することが可能になる。白色に近い光源を使うことができるようになるから対象物の色情報をより正確に迅速に得ることができる。
【００６６】
さらに機械的な振動部分がない、という利点がある。繰り返し機械振動するようなものがあると、外部のショックに弱い。また繰り返しの振動によって故障するということもある。光ファイバの場合は疲労によって断線することもある。本発明の場合は機械振動する部分がないので外部の振動があっても差し支えない。また長寿命である。
【００６７】
また分岐した光ｇ、ｈを干渉させてから対象物に当てるので干渉自体は安定している。時時刻刻と色の変化する試験光を対象物に当てるということになる。
【実施例１】
【００６８】
図１によって本発明の実施例に係る干渉計センサの構造を述べる。筐体２はプラスチック、金属などの閉じられた容器である。大きさ形状は自在に決定できる。内部の素子を小さくできるのでシャープペンシル程度の小型のものにできる。筐体２の中に、光源３が設けられる。これは対象物の色を検出するものであるから、可視光の白色光を出すものが適している。光源３の前方に集光レンズＺ１があって、マッハツエンダ型の干渉部４の入口２０に導かれる。マッハツエンダ型干渉部４は入口２０に続く分岐２２と出口２４に続く分岐２３を有する。二つの分岐２２、２３の間には二つの経路がある。一つは通常の誘電体によって形成した屈折率固定路５である。他方はポッケルス効果素子を有する屈折率変動路６である。ポッケルス効果というのは、電圧を印加することによって電圧に比例して屈折率が変化するという現象であり中心対称性のない結晶に現れる。ＫＨ２ＰＯ４、ＫＤ２ＰＯ４、ＳｒＢａＮｂ２Ｏ６、ＬｉＮｂＯ３、ＬｉＴａＯ３結晶などを用いることができる。これらの電気光学結晶は変調器に用いられることがあるが、本発明のように干渉部４の一方の経路の素子に用いられるという例はない。
【００６９】
光は二つに分岐して、半分ずつのパワーが屈折率固定路５と屈折率変動路６を通過する。屈折率変動路６は交流電圧を加えたポッケルス効果素子を含むので屈折率が変化し光路（ｎｌ）が変化する。両方の光路を通った光が分岐２３で合流し出口２４から外部に出る。これは発散するがコリメータレンズＺ２によって平行ビームに整形される。電圧が０の場合は、位相差はないので合波した光のパワーは１である。しかし電圧があると、位相差Θが出て合波した光のパワーはｃｏｓΘになる。そのΘが時間的に変動する。
【００７０】
合一した平行ビームである干渉光は反射鏡７で反射される。これは試験光Ｓとして窓２５の向こうにある試料８に当てられる。試料８は試験光Ｓを反射する。反射光Ｒは集光レンズＺ３によって絞られて受光素子９に入射する。
【００７１】
このように本発明では干渉計の２つの光路の光路長差を与えるために幾何学的に光路を伸縮するのではなく屈折率ｎを変化させる。
【００７２】
しかも本発明では試料からの反射光を干渉させるのではなくて、一旦干渉させた光を試料に当てる。試料と干渉計の順序が反対である。
【００７３】
本発明で最も重要なのは、干渉部４である。屈折率固定路５も屈折率変動路６も同じＬｉＮｂＯ３で作ることができる。そうでなくて、屈折率固定路５はその他の透明導波材を用いることもできる。以前の説明では電圧＝０での屈折率が同一であるとしたがそれは別段必要でない。屈折率差が電圧によって変動し光路長の変動を波長で割った変動率がフーリエ変換に必要な１００〜１０００倍あればよい。必要な波長・波数分解能が低い場合は光路長変動を波長で割った変動率が５０倍程度でも十分である。
【００７４】
例えば可視光を発生する光源３を用いたとする。波長範囲は４００ｎｍ〜８００ｎｍ程度であり連続スペクトルを持っている。代表的な波長は６００ｎｍ程度である。例えば素子長（ｌ）・波長（λ）比をｌ／λ＝１００００とする。素子長がｌ＝６ｍｍとなる。異常光の電界方向をｚ方向にし常光の電界方向をｙ方向にし進行方向をｘ方向にする座標において、ｚ方向に薄く、ｘ方向に６ｍｍの長さがあり、±ｘｙ面に対向電極を持つポッケルス効果素子をＬｉＮｂＯ３によって作る。偏光子を入れて電界方向がｚ方向になるような直線偏光とする。Δｎを０．０１程度にするために、ｚ方向の電界を掛けてｒ３３という非線形係数を利用する。±１００のフーリエ変換の範囲を得るため、Ｅｚ＝１３ｋＶ／ｍｍという電界振幅の交番電界をｚ方向に掛ける。交番電界の周波数ｆ＝ω／２πは速くなくても良く、１０Ｈｚ〜１０００Ｈｚ程度でよい。フーリエ変換計算は０．５Ｈｚ毎になされる。１０Ｈｚであれば１秒間に２０回のフーリエ変換を行う。１０００Ｈｚであれば、１秒間に２０００回のフーリエ変換計算をする。
【００７５】
ポッケルス効果素子の厚みｄを例えば１０μｍとすれば、電圧振幅は１３０Ｖとなる。しかしそれでも高電圧過ぎるという場合は、干渉部４の両方の光路Ｇ、Ｈともにポッケルス効果素子として、電圧の方向を反対にして、＋Ｅｚｓｉｎωｔ，−Ｅｚｓｉｎωｔという反対方向の電圧をＧ、Ｈに加えて屈折率変動を反対方向に引き起こすという方法も有効である。そのようにすると同じｄ＝１０μｍでも一方の電圧振幅を６５Ｖに減らすことができる。
【００７６】
干渉部４で干渉させ合一した試験光Ｓを試料に当て反射光Ｒを受光素子９に入れてそれを強度信号として求める。その後の信号処理は既に述べた通りである。
【００７７】
受光素子９で受光したものは時間的に変動するが、色彩も分離されておらず単一の光強度データである。それを干渉部４に掛けた交番電圧の半周期ごとの光強度データを屈折率ｎに関してフーリエ変換する。初めに窓２５に試料８の代わりに総ての光を１００％反射するミラーをおいて受光素子９でデータを取る。それが光源インターフェログラムである。それを干渉部４の印加電界の半周期毎にフーリエ変換する。それを平均したものが試験光のスペクトルＳ（ν）である。このように光源の色分布を予め波数νの関数として得ておく。その後本発明の装置の窓２５に試料８を押しつけて、試験光Ｓ（ｎ）を試料８に当てる。反射光Ｒ（ｎ）が生ずる。Ｒ（ｎ）−Ｓ（ｎ）が試料８による発光、散乱、吸収を表す波数分布Ｑ（ｎ）を与える。Ｑ（ｎ）＝Ｒ（ｎ）−Ｓ（ｎ）。受光素子９が反射光Ｒ（ｎ）のデータを与える。これもインターフェログラムという。電圧印加の半周期ごとに反射光Ｒ（ｎ）を屈折率ｎでフーリエ変換する。そうすると、反射光の波数（波長）分布Ｒ（ν）を得ることができる。もともとの試験光の波数分布（光源のスペクトル）はＳ（ν）で既知である。
【００７８】
Ｒ（ν）−Ｓ（ν）を求めることによって試料８での発光、散乱、吸収などをあらわす波数で表現したスペクトルＱ（ν）＝Ｒ（ν）−Ｓ（ν）が求められる。
【図面の簡単な説明】
【００７９】
【図１】本発明の実施例に係る干渉計センサの概略構成図。
【図２】干渉部の一方の光路に設けるポッケルス効果素子の電界方向、伝搬方向、形状の説明図。
【図３】干渉部の両方の光路にポッケルス効果素子を設け加える電界の方向を反対にすることによって２倍の屈折率差をもたらすようにした説明図。
【符号の説明】
【００８０】
２  筐体 
３  光源 
４  干渉部 
５  屈折率固定光路 
６  屈折率変動光路 
７  反射鏡 
８  試料 
９  受光素子 
２０  入口
２２  分岐
２３  分岐
２４  出口
Ｚ１  集光レンズ
Ｚ２  コリメータレンズ 
Ｚ３  集光レンズ 
ｄ  厚み
ｇ  第一分岐光
ｈ  第二分岐光
光路  Ｇ
光路  Ｈ
試験光  Ｓ
反射光  Ｒ
【図１】
2007303954.tif 000003
【図２】
2007303954.tif 000004
【図３】
2007303954.tif 000005